(57)【要約】【課題】作業性に優れた雪落とし具を提供する。【解決手段】雪落とし具１は、長尺状の柄体２と、前記柄体２の先端に備えた掻き落し体３と、前記掻き落し体３を前記柄体２に対して揺動自在にする回動機構６と、を備え、前記回動機構６は、前記掻き落し体の開放端１０を前記柄体２に対して近接させた閉状態と、前記掻き落し体３を前記柄体２に対して垂直に立てた開状態との間で揺動自在とすることで、屋根上の雪を掻き落とす際に、雪に対して掻き落し体を持ち上げることなく、押し引きするだけで、雪を引き落とすことができるので、作業性の良い雪落とし具を提供することができる。【選択図】図１
0003217024.tif 000002
【実用新案登録請求の範囲】
【請求項１】
長尺状の柄体と、
前記柄体の先端に備えた掻き落し体と、
前記掻き落し体を前記柄体に対して揺動自在にする回動機構と、を備え、
前記回動機構は、前記掻き落し体の開放端を前記柄体に対して近接させた閉状態と、前記掻き落し体を前記柄体に対して垂直に立てた開状態との間で揺動自在とすることを特徴とする雪落とし具。
【請求項２】
前記掻き落し体を前記開状態で保持する保持手段を備え、
前記保持手段は、前記掻落体の周縁から、前記柄体の先端より基端側へと配置された接続部へと張設された複数の紐状の可撓体からなることを特徴とする請求項１記載の雪落とし具。
【請求項３】
前記閉状態から前記開状態へと前記掻き落し体を付勢する付勢手段を備えたことを特徴とする請求項１記載の雪落とし具。
【請求項４】
前記付勢手段を前記掻き落し体の開放端の中央部分から前記接続部へと連結されたバネ体としたことを特徴とする請求項３記載の雪落とし具。
【請求項５】
前記掻き落し体の外面及び／又は前記開放端に樹脂部材を備えたことを特徴とする請求項１記載の雪落とし具。
【請求項６】
前記開放端を前記柄体から離れる方向に折り曲げたことを特徴とする請求項１記載の雪落とし具。
【請求項７】
前記開放端に樹脂製の刃体を備え、
前記刃体は、先端部にテーパ部を備えると共に、前記先端部に所定の間隔を有して形成された複数のスリット部を備えたことを特徴とする請求項１記載の雪落とし具。
【請求項８】
前記開放端を前記柄体側に折り曲げたことを特徴とする請求項１記載の雪落とし具。
【請求項９】
前記開放端側を婉曲状に突設したことを特徴とする請求項１記載の雪落とし具。
【請求項１０】
前記柄体の先端を下方へ湾曲した折り曲げ部を備えたことを特徴とする請求項１記載の雪落とし具。
【請求項１１】
前記柄体を長手方向に分割する連結部を備え、
前記連結部は、断面非円形状の一側管材部と、
前記一側管材部と同一形状の断面非円形状の外管と、前記外管の先端に備え、前記一側管材部に挿通可能かつ前記一側管材部の内部で回動不能な断面非円形状の内管とからなる他側管材部とし、
前記一側管材部に備えた外側取付穴と、
前記内管を前記一側管材部に挿通して、前記外管が前記一側管材部に当接した状態で
前記外側取付穴に対応して前記内管に備えた非円形状の内側取付穴と、
前記外側取付穴と前記内側取付穴に連続して挿通可能な雄螺子部材と、
前記雄螺子部材に螺合する雌螺子部材とを備え、
前記雄螺子部材には、前記内側取付穴に嵌合可能な嵌合部を備え、
前記外側取付穴には、前記雄螺子部材が挿通可能、前記内側取付穴から抜け落ちない形状のスペーサー部材を備えたことを特徴とする請求項１記載の雪落とし具。
【請求項１２】
前記柄体の基端に握り部を備え、
前記握り部は、前記柄体の基端に固定された固定側握り体と、前記固定側握り部より前記柄体の先端側に配置され、前記柄体の長手方向にスライド可能に備えた柔軟性を有する筒状の可動側握り部とを備えたことを特徴とする請求項１記載の雪落とし具。
【請求項１３】
前記保持手段の長さを調節する長さ調節手段を備え、
前記長さ調節手段は、前記掻き落し体の前記保持手段を取り付ける箇所に設けた雌螺子穴と、
前記保持手段を係止した頭部を有し、前記雌螺子穴に螺合可能な雄螺子とを備えたことを特徴とする請求項１記載の雪落とし具。
【請求項１４】
前記保持手段の長さを調節する長さ調節手段を備え、
前記長さ調節手段は、保持手段を分断した中間に配置されたターンバックルとすることを特徴とする請求項１記載の雪落とし具。
【請求項１５】
前記掻き落し体に雌螺子穴を螺設し、この雌螺子穴に雄螺子を螺合してナットで固定し、前記雄螺子の上下によって前記柄体の先端部が前記雄螺子に当たる位置を調節可能に備えたことを特徴とする請求項１記載の雪落とし具。
【考案の詳細な説明】
【技術分野】
【０００１】
本考案は、建物の屋根の積雪を掻き落とす際に用いられる雪落とし具に関するものである。
【背景技術】
【０００２】
従来、長尺状の柄体の先端に掻き落し体を設けた雪落とし具があり、建物の屋根の積雪を掻き落し体で掻き落としていた。（特許文献１）
あるいは、屋根の積雪の中に差し込んでから引き抜くことで、雪を掻き出す器具があった。（特許文献２）
【先行技術文献】
【特許文献】
【０００３】
【特許文献１】実用新案登録第３１８７３４９号公報
【特許文献２】実用新案登録第３２１４１８８号公報
【考案の開示】
【考案が解決しようとする課題】
【０００４】
しかし、従来の雪落とし具では、掻き落し体を持ち上げ、屋根の積雪に下して、掻き落しており、また、特許文献２では屋根の積雪が自重で密度が増えて重くなったり、凍結により固まった雪の中に差し込むことは容易ではなく、作業性に問題があった。
【０００５】
そこで、本考案は、作業性に優れた雪落とし具を提供することを目的とする。
【課題を解決するための手段】
【０００６】
請求項１記載の本考案の雪落とし具は、長尺状の柄体と、前記柄体の先端に備えた掻き落し体と、前記掻き落し体を前記柄体に対して揺動自在にする回動機構と、を備え、前記回動機構は、前記掻き落し体の開放端を前記柄体に対して近接させた閉状態と、前記掻き落し体を前記柄体に対して垂直に立てた開状態との間で揺動自在とすることを特徴とする。
【０００７】
請求項２記載の本考案の雪落とし具は、前記掻き落し体を前記開状態で保持する保持手段を備え、前記保持手段は、前記掻き落し体の周縁から、前記柄体の先端より基端側へと配置された接続部へと張設された複数の紐状の可撓体からなることを特徴とする。
【０００８】
請求項３記載の本考案の雪落とし具は、前記閉状態から前記開状態へと前記掻き落し体を付勢する付勢手段を備えたことを特徴とする。
【０００９】
請求項４記載の本考案の雪落とし具は、前記付勢手段を前記掻き落し体の開放端の中央部分から前記接続部へと連結されたバネ体としたことを特徴とする。
【００１０】
請求項５記載の本考案の雪落とし具は、前記掻き落し体の外面及び／又は前記開放端に樹脂部材を備えたことを特徴とする。
【００１１】
請求項６記載の本考案の雪落とし具は、前記開放端を前記柄体から離れる方向に折り曲げたことを特徴とする。
【００１２】
請求項７記載の本考案の雪落とし具は、前記開放端に樹脂製の刃体を備え、前記刃体は、先端部にテーパ部を備えると共に、前記先端部に所定の間隔を有して形成された複数のスリット部を備えたことを特徴とする。
【００１３】
請求項８記載の本考案の雪落とし具は、前記開放端を前記柄体側に折り曲げたことを特徴とする。
【００１４】
請求項９記載の本考案の雪落とし具は、前記開放端側を婉曲状に突設したことを特徴とする。
【００１５】
請求項１０記載の本考案の雪落とし具は、前記柄体の先端を下方へ湾曲した折り曲げ部を備えたことを特徴とする。
【００１６】
請求項１１記載の本考案の雪落とし具は、前記柄体を長手方向に分割する連結部を備え、前記連結部は、断面非円形状の一側管材部と、前記一側管材部と同一形状の断面非円形状の外管と、前記外管の先端に備え、前記一側管材部に挿通可能かつ前記一側管材部の内部で回動不能な断面非円形状の内管とからなる他側管材部とし、前記一側管材部に備えた外側取付穴と、前記内管を前記一側管材に挿通して、前記外管が前記一側管材部に当接した状態で前記外側取付穴に対応して前記内管に備えた非円形状の内側取付穴と、前記外側取付穴と前記内側取付穴に連続して挿通可能な雄螺子部材と、前記雄螺子部材に螺合する雌螺子部材とを備え、前記雄螺子部材には、前記内側取付穴に嵌合可能な嵌合部を備え、前記外側取付穴には、前記雄螺子部材が挿通可能、前記内側取付穴から抜け落ちない形状のスペーサー部材を備えたことを特徴とする。
【００１７】
請求項１２記載の本考案の雪落とし具は、前記柄体の基端に握り部を備え、前記握り部は、前記柄体の基端に固定された固定側握り体と、前記固定側握り部より前記柄体の先端側に配置され、前記柄体の長手方向にスライド可能に備えた柔軟性を有する筒状の可動側握り部とを備えたことを特徴とする。
【００１８】
請求項１３記載の本考案の雪落とし具は、前記保持手段の長さを調節する長さ調節手段を備え、前記長さ調節手段は、前記掻き落し体の前記保持手段を取り付ける箇所に設けた雌螺子穴と、前記保持手段を係止した頭部を有し、前記雌螺子穴に螺合可能な雄螺子とを備えたことを特徴とする。
【００１９】
請求項１４記載の本考案の雪落とし具は、前記保持手段の長さを調節する長さ調節手段を備え、前記長さ調節手段は、前記保持手段を分断した中間に配置されたターンバックルとすることを特徴とする。
【００２０】
請求項１５記載の本考案の雪落とし具は、前記掻き落し体に雌螺子穴を螺設し、この雌螺子穴に雄螺子を螺合してナットで固定し、前記雄螺子の上下によって前記柄体の先端部が前記雄螺子に当たる位置を調節可能に備えたことを特徴とする。
【考案の効果】
【００２１】
請求項１の考案によれば、屋根上の雪を掻き落とす際に、雪に対して掻き落し体を持ち上げることなく、押し引きするだけで、雪を引き落とすことができるので、作業性の良い雪落とし具を提供することができる。
【００２２】
請求項２の考案によれば、雪を掻き捉える掻き落し体の変形を可撓体が引っ張って防ぎ、掻き落し体の補強とともに軽量化を図ることができる。
【００２３】
請求項３の考案によれば、閉状態から開状態へ即座に切り替わることで、雪を効果的に掻き捉えることができる。
【００２４】
請求項４の考案によれば、雪を掻き捉える際に最も変形しやすい開放端の中央部分の変形をバネ体が引っ張って防ぎ、掻き落し体の補強を図ることができる。
【００２５】
請求項５の考案によれば、掻き落し体の強度を保って軽量化を図り、開放端が雪に入りやすく、屋根や外壁に接触しても傷付けにくい構成となっている。
【００２６】
請求項６の考案によれば、雪落とし具を引いて、雪を掻き捉える際に開放端が雪に入りやすい形状となり、効果的に雪を掻き捉えることができる。
【００２７】
請求項７の考案によれば、刃体の先端部のテーパ部によって、開放端が雪に入りやすく、スリットによって屋根上の雪の凹凸を乗り越えやすくすることができ、また刃体は摩耗や破損時に交換することができる。
【００２８】
請求項８の考案によれば、雪落とし具を屋根上の雪上を押す際に、掻き落し体が屋根上の雪をそりのように滑り上がるので、作業性の良い雪落とし具を提供することができる。
【００２９】
請求項９の考案によれば、雪落とし具を引いて、雪を掻き捉える際に開放端が雪に入りやすい形状となり、効果的に雪を掻き捉えることができる。
【００３０】
請求項１０の考案によれば、掻き落し体を押すときには、上方に持ち上げて屋根上の雪の上をそりのように滑って移動し、引くときには下方向に引く作用で、雪中に入り込むように動く掻き落し体が雪によく食い込むので、作業性の向上を図ることができる。
【００３１】
請求項１１の考案によれば、スペーサー部材によって、雌螺子部材を外しても一側管材部と他側管材部の変形が少なく、円滑な取り付けや取り外しが可能である。また、一側管材部と他側管材部を非円形状の管材とすることで、作業時の管材同士の回転を防ぎ、柄材の長手方向への剛性が増して変形を防ぐことができる。さらに、雄螺子部材の外側取付穴と内側取付穴への取り付けは簡単で、確実に一側管材部と他側管材部とを接合することができる。
【００３２】
請求項１２の考案によれば、可動側握り部は、柄体をスライドさせることで位置を適宜変えることができ、しっかり握ることで柄体に固定することができるので、作業者の持ちやすい位置に握り部を配置して両手で雪落とし具を操作することができる。
【００３３】
請求項１３の考案によれば、保持手段の長さを調節することによって、掻き落し体の開き角度を調節する機能を付与することによって、新雪のような軽い雪の場合と密度が増えて重くなったり、凍結により固まった雪の場合などの雪質に応じて、削る量を加減することで、作業や器具への負担を調節することができる。
【００３４】
請求項１４の考案によれば、保持手段の長さを調節することによって、掻き落し体の開き角度を調節する機能を付与することによって、新雪のような軽い雪の場合と密度が増えて重くなったり、凍結により固まった雪の場合などの雪質に応じて、削る量を加減することで、作業や器具への負担を調節することができる。
【００３５】
請求項１５の考案によれば、掻き落し体の開き角度を調節する機能を付与することによって、新雪のような軽い雪の場合と密度が増えて重くなったり、凍結により固まった雪の場合などの雪質に応じて、削る量を加減することで、作業や器具への負担を調節することができる。
【図面の簡単な説明】
【００３６】
【図１】本考案の実施例１に示す雪落とし具の斜視図である。
【図２】同上、連結部付近の分解斜視図である。
【図３】同上、連結部付近の断面図である。
【図４】同上、雪落とし具の開状態を示す側面図である。
【図５】同上、雪落とし具の閉状態を示す側面図である。
【図６】本考案の実施例２に示す雪落とし具の斜視図である。
【図７】同上、雪落とし具の開状態を示す側面図である。
【図８】同上、雪落とし具の閉状態で、柄体の中間に掻き落し体が下方に曲がる屈曲部を設けたことを示す側面図である。
【図９】本考案の実施例３に示す雪落とし具の斜視図である。
【図１０】同上、雪落とし具の開状態を示す側面図である。
【図１１】同上、雪落とし具の閉状態を示す側面図である。
【図１２】実施例１において、保持手段の長さ調節手段付近の構成を示す断面図である。
【図１３】同上、保持手段の別の長さ調節手段の構成を示す側面図である。
【図１４】実施例２、３において、雪落とし具の閉状態での開き角度調節手段付近の斜視図である。
【図１５】実施例２、３において、雪落とし具の開状態での開き角度調節手段付近の斜視図である。
【考案を実施するための最良の形態】
【００３７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００３８】
以下、本考案の第１実施例を図１〜図５を参照して説明する。本実施例の雪落とし具１は、長尺状の柄体２と、柄体２の先端に備えた掻き落し体３とを備えている。
【００３９】
掻き落し体３は、略直方体状の板状部材からなり、掻き落し体３は、ポリカーボネート等の合成樹脂製の板体本体４と、板体本体４の柄体２と対向する面の一対の長辺側に貼り付けられたステンレス又はアルミ等の金属製の板材からなる補強部材５とを備えている。掻き落し体３の一方の長辺の中央部分と柄体２の先端とを柄体２の長手方向に回動自在に連結する回動機構６を備えている。
【００４０】
回動機構６は、柄体２の先端に備えた金具からなる第１の継手７と、掻き落し体３の一方の長手方向の中央部分に備えたコ型の金具からなる第２の継手８と、第２の継手８の一対の脚部８Ａの間に配置された第１の継手７を第２の継手８に回動自在に連結する回動軸部９とを備えている。
【００４１】
掻き落し体３の他方の長辺である開放端１０と補強用部材５との間には、樹脂製の刃体１１が掻き落し体３の開放端１０から突出するように挟持されている。刃体１１は中央部分を婉曲状に突出させて形成されている。
【００４２】
掻き落し体３の四隅及び開放端１０の中央部分と、柄体２の先端側に備えた接続部１２とを連結する保持手段１３Ａ〜１３Ｅを備えている。保持手段１３Ａ〜１３Ｅは、ワイヤーやチェーン等の可撓性を有する紐状部材とし、掻き落し体３の開放端１０を柄体２に対して近接させた閉状態では撓み、掻き落し体３を柄体２に対して垂直に立てた開状態では緊張するように掻き落し体３と接続部１２との間で架設されている。接続部１２では、保持手段１３Ａ〜１３Ｅを挿通可能な茄子鐶（ナスカン）等の金属製の環状部材１２Ａを備えており、保持手段１３Ａ〜１３Ｅの取り付けを容易にしている。
【００４３】
また、掻き落し体３の開放端１０の中央部分と、接続部１２とを連結する付勢手段１４によって、閉状態から開状態へと掻き落し体３に付勢力が付与されている。付勢手段１４には、ねじりコイルばね等のバネ部材が用いられる。
【００４４】
柄体２は、全体がアルミニウム製の丸管からなる長尺体で、先端側を下方へ湾曲した折り曲げ部１５が形成されている。柄体２は、掻き落し体３が連結された先端側と、握り部１６を備えた基端側とを連結及び分割可能とする連結部１７を備えている。
【００４５】
図２及び図３に示すように、連結部１７は、柄部２の先端側を楕円状の軽量なアルミニウム製の管材からなる先端側管材部１８とし、柄部２の基端側を先端側管材部１８と同じ断面形状となる楕円状の軽量なアルミニウム製の外管１９と、外管１９の先端に備えた先端側管材部１８内に挿通可能な楕円状の丈夫なステンレス製の管材である内管２０との二重管からなる基端側管材部２１として構成されている。尚、楕円状に形成された先端側管材部１８、外管１９および内管２０のそれぞれの長辺方向は掻き落し体３の長手方向と直交し、雪落とし具１の押し引き方向と平行に設けられている。
【００４６】
連結部１７では、先端側管材部１８に備えた外側取付穴２２と、内管２０を先端側管材部１８に挿通して、外管１９の先端が先端側管材部１８に突き当たった状態で外側取付穴２２に対応して内管２０に備えた非円形状の内側取付穴２３と、外側取付穴２２と内側取付穴２３に連続して挿通可能な雄螺子部材２４と、雄螺子部材２４に螺合する雌螺子部材２５とを備え、外側取付穴２２には、雄螺子部材２４が挿通可能、かつ矩形に形成された内側取付穴２３から抜け落ちない形状のスペーサー部材２６を備えている。雄螺子部材２４には、内側取付穴２３に嵌合可能な嵌合部として頭部付近に角柱部２７を備えた根角ボルトを用いる。スペーサー部材２６は、雄螺子部材２４が挿通可能な内径を有し、先端側管材部１８の肉厚とほぼ同一の高さに形成されたコイル状のリング部材からなる。
【００４７】
図１に示すように、握り部１６は、柄体２の基端に固定されたゴム製の固定ハンドル２８と、固定ハンドル２８の上方で柄体２表面をスライド可能に備えた円筒状のゴム管からなる可動ハンドル２９とを備えている。可動ハンドル２９は柄体２の外径と同一又はそれ以上の内径を有するゴム製の管材である。
【００４８】
以上の雪落とし具の使用方法について説明する。屋根Ｒ上の雪を地上から落とす場合、図５に示すように掻き落し体３が雪Ｓ上を滑り上がるように雪落とし具１を押し上げると、掻き落し体３の開放端１０が柄体２側に閉じた閉状態となり、図４に示すように雪Ｓを落とそうと雪落とし具１を引くと、開放端１０が雪Ｓに食い込みながら掻き落し体３の開放端１０が柄体２から開いた開状態となり、屋根Ｒ上の雪Ｓを引き落とすことができる。
【００４９】
柄体２の連結方法は、図３に示すように雄螺子部材２４を外側取付穴２２と内側取付穴２３に挿通し、角柱部２７を内側取付穴２３に嵌合して、先端側管材部１８と内管２０の隙間を残しながら、しっかりと先端側管材部１８と内管２０が締まるように、内側取付穴２３の外側にスペーサー部材２６を配置して、雄螺子部材２４に雌螺子部材２５を螺合して、雄螺子部材２４と雌螺子部材２５とで両側から連結部１７を締め付けて、しっかりと固定するとともに、雌螺子部材２５を外しても先端側管材部１８と内管２０の潰れなどの変形を防ぎ、先端側管材部１８に対して内管２０がスムーズに移動が可能となり、再度の取り外し・取り付けが可能となる。
【００５０】
以上のように本実施例の雪落とし具１は、請求項１に対応しており、長尺状の柄体２と、前記柄体２の先端に備えた掻き落し体３と、前記掻き落し体３を前記柄体２に対して揺動自在にする回動機構６と、を備え、前記回動機構６は、前記掻き落し体の開放端１０を前記柄体２に対して近接させた閉状態と、前記掻き落し体３を前記柄体２に対して垂直に立てた開状態との間で揺動自在としている。
【００５１】
この場合、屋根Ｒ上の雪Ｓを掻き落とす際に、雪Ｓに対して掻き落し体３を持ち上げることなく、押し引きするだけで、雪Ｓを引き落とすことができるので、作業性の良い雪落とし具１を提供することができる。
【００５２】
また、本実施例の雪落とし具１は、請求項２に対応しており、前記掻き落し体３を前記開状態で保持する保持手段１３Ａ〜１３Ｅを備え、前記保持手段１３Ａ〜１３Ｅは、前記掻き落し体３の周縁から、前記柄体２の先端より基端側へと配置された接続部１２へと張設された複数の紐状の可撓体からなる。
【００５３】
この場合、雪Ｓを掻き捉える掻き落し体３の変形を保持手段１３Ａ〜１３Ｅが引っ張って防ぎ、掻き落し体３の補強構造によって板厚をむやみに増すことなく荷重時の変形に耐え、軽量化により高所での操作性が向上する。
【００５４】
また、本実施例の雪落とし具１は、請求項３に対応しており、前記閉状態から前記開状態へと前記掻き落し体３を付勢する付勢手段１４を備えたことにより、閉状態から開状態へ即座に切り替わることで、雪Ｓを効果的に掻き捉えることができる。
【００５５】
また、本実施例の雪落とし具１は、請求項４に対応しており、前記付勢手段１４を前記掻き落し体３の開放端１０の中央部分から前記接続部１２へと連結されたバネ体としたことにより、雪Ｓを掻き捉える際に最も変形しやすい開放端１０の中央部分の変形を付勢手段１４が引っ張って防ぎ、掻き落し体３の補強を図ることができる。
【００５６】
また、本実施例の雪落とし具１は、請求項５に対応しており、前記掻き落し体３の外面及び／又は前記開放端１０に樹脂部材を備えたことにより、掻き落し体３の強度を保って軽量化を図り、開放端１０が雪に入りやすく、屋根Ｒや外壁Ｗに接触しても傷付けにくい構成となっている。
【００５７】
また、本実施例の雪落とし具１は、請求項９に対応しており、前記開放端１０側を婉曲状に突設したことにより、雪落とし具１を引いて、雪Ｓを掻き捉える際に開放端１０が雪Ｓに入りやすい形状となり、効果的に雪Ｓを掻き捉えることができる。
【００５８】
また、本実施例の雪落とし具１は、請求項１０に対応しており、前記柄体２の先端を下方へ湾曲した折り曲げ部１５を備えたことにより、掻き落し体３を押すときには、上方に持ち上げて屋根Ｒ上の雪Ｓの上をそりのように滑って移動し、引くときには下方向に引く作用で、雪Ｓ中に入り込むように動く掻き落し体３が雪Ｓによく食い込むので、作業性の向上を図ることができる。
【００５９】
また、本実施例の雪落とし具１は、請求項１１に対応しており、前記柄体２を長手方向に分割する連結部１７を備え、前記連結部１７は、断面非円形状の一側管材部としての先端側管材部１８と、前記先端側管材部１８と同一形状の断面非円形状の外管１９と、前記外管１９の先端に備え、前記先端側管材部１８に挿通可能かつ前記先端側管材部１８の内部で回動不能な断面非円形状の内管２０とからなる他側管材部としての基端側管材部２１とし、前記先端側管材部１８に備えた外側取付穴２２と、前記内管２０を前記先端側管材部１８に挿通して、前記外管１９が前記先端側管材部１８に当接した状態で前記外側取付穴２２に対応して前記内管２０に備えた非円形状の内側取付穴２３と、前記外側取付穴２２と前記内側取付穴２３に連続して挿通可能な雄螺子部材２４と、前記雄螺子部材２４に螺合する雌螺子部材２５とを備え、前記雄螺子部材２４には、前記内側取付穴２３に嵌合可能な嵌合部としての角柱部２７を備え、前記外側取付穴２２には、前記雄螺子部材２４が挿通可能、前記内側取付穴２３から抜け落ちない形状のスペーサー部材２６を備えている。
【００６０】
この場合、雌螺子部材２５を締め付けた際には、雄螺子部材２４の頭部側では内管２０と外管１８が押着し、一方、スペーサー部材２６を挿入した側では内管２０とスペーサー部材２６が押着し、外管１８と雌螺子部材２５がスペーサー部材２６による内管２０と外管１８間の隙間を残して押着して確実な連結ができる。そして、スペーサー部材２６による内管２０と外管１８間の隙間によって、雌螺子部材２５を外しても先端側管材部１８と基端側管材部２１の変形が少なく、円滑な取り付けや取り外しが可能である。また、先端側管材部１８と基端側管材部２１を非円形状の管材とすることで、作業時の管材同士の回転を防ぎ、柄材２の長手方向への変形を防ぐことができる。さらに、雄螺子部材２４の外側取付穴２２と内側取付穴２３への取り付けは簡単で、確実に先端側管材部１８と基端側管材部２１とを接合することができる。
【００６１】
また、本実施例の雪落とし具１は、請求項１２に対応しており、前記柄体２の基端に握り部１６を備え、前記握り部１６は、前記柄体２の基端に固定された固定側握り体である固定ハンドル２８と、前記固定ハンドル２８より前記柄体２の先端側に配置され、前記柄体２の長手方向にスライド可能に備えた柔軟性を有する筒状の可動側握り部である可動ハンドル２９とを備えている。
【００６２】
この場合、可動ハンドル２９は、柄体２をスライドさせることで位置を適宜変えることができ、しっかり握ることで柄体２に固定することができるので、作業者の持ちやすい位置に握り部１６を配置して両手で雪落とし具１を操作することができる。
【実施例２】
【００６３】
次に実施例２について図６〜図８を参照して説明する。尚、前記実施例１と同一部分には同一符号を付し、その詳細な説明を省略する。本実施例における掻き落し体３では、アルミニウム又はステンレス等の金属製の板体本体４の中央に形成された折り曲げ部３０から開放端１０にかけて柄体２から離れる方向へと折り曲げられている。
【００６４】
また、本実施例の付勢手段３２は、回動機構６に備えたねじりコイルばねを採用し、付勢手段３２の環状部３３を回転軸部９に挿通し、環状部３３に備えた一対の腕片３４、３５をそれぞれ第１の継手７と第２の継手８に配置し、掻き落し体３の開放端１０が柄体２側に閉じた閉状態となると、第２の継手８側の腕片３５が弾性復元力により掻き落し体３を開状態にしようとする付勢力を付与する構成となっている。
【００６５】
開放端１０には、ポリカーボネート等の合成樹脂製の板材からなる刃体３６を備えている。刃体３６は、板体本体４と板状の押さえ部材３７とによって、刃体３６の一部を開放端１０から突出するように挟持されている。刃体３６の開放端１０から突出した部分には、所定の間隔を有して連続して形成されたスリット部３８が形成されるともに、先端にテーパ部３９が形成されている。
【００６６】
本実施例の回動機構６では、回転軸部９が第２の継手８の両側に備えた第１の軸受部４０と第２の軸受部４１によって軸支されている。また、第１の軸受部４０と柄体２の先端側とを金属製のバネ板からなる第１の補強部材４２によって連結するとともに、第２の軸受部４１と柄体２の先端側とを金属製のバネ板からなる第２の補強部材４３によって連結し、掻き落し体３が柄体２に対して左右にぐらつくのを防いでいる。
【００６７】
本実施例の雪落とし具１では、請求項６に対応しており、前記開放端１０を前記柄体２から離れる方向に折り曲げたことにより、雪落とし具１を引いて、雪Ｓを掻き捉える際に開放端１０が雪Ｓに入りやすい形状となり、効果的に雪を掻き捉えることができる。
【００６８】
本実施例の雪落とし具では、請求項７に対応しており、前記開放端１０に樹脂製の刃体３６を備え、前記刃体３６は、先端部にテーパ部３９を備えると共に、前記先端部に所定の間隔を有して形成された複数のスリット部３８を備えたことにより、刃体３６の先端部のテーパ部３９によって、開放端１０が雪Ｓに入りやすく、スリット部３８によって屋根Ｒ上の雪Ｓの凹凸を乗り越えやすくすることができ、また刃体３６は摩耗や破損時に交換することができる。
【００６９】
また、図８に示すように柄体２の中間部に掻き落し体３が下方に曲がる屈曲部２Ｂを各実施例に設けてやれば、掻き落し体３が屋根Ｒの奥の雪Ｓまで掻き落すことができる。
【実施例３】
【００７０】
次に実施例３について図９〜図１１を参照して説明する。尚、前記実施例１及び２と同一部分には同一符号を付し、その詳細な説明を省略する。本実施例における掻き落し体３は、アルミニウム又はステンレス等の金属製の板体本体４の中央に形成された折り曲げ部４４から開放端１０にかけて柄体２側に折り曲げられている。
【００７１】
また、開放端１０の外面には、ゴム等の柔軟性を有する素材からなる板状の保護部材４５が取り付けられている。保護部材４５は開放端１０より突出しており、雪落とし具１によって、屋根Ｓや外壁Ｗが傷付くのを防ぐことができる。
【００７２】
以上のように本実施例の雪落とし具１では、請求項８に対応しており、前記開放端１０を前記柄体２側に折り曲げたことにより、雪落とし具１を屋根Ｒ上の雪Ｓ上を押す際に、掻き落し体３が屋根Ｒ上の雪Ｓをそりのように滑り上がるので、作業性の良い雪落とし具１を提供することができる。
【００７３】
本考案は上記各実施例に限定されるものではなく、例えば、各実施例を適宜組み合わせたものでも良いものとする。
【００７４】
また、実施例１において、保持手段１３Ｃ、１３Ｄおよび１３Ｅの長さを調節する長さ調節手段Ｌを備え、板体本体４と柄体２の開き角度αを調整するには、掻き落し体３の開放端１０側の中央部分と両隅に保持手段１３Ｃ、１３Ｄおよび１３Ｅを掻き落し体３へ取り付ける箇所に板体本体４と補強部材５に一連の雌螺子穴４６を螺設し、図１２に示すような適度の長さの雄螺子４７の頭部４８の真下で保持手段１３Ｃ、１３Ｄおよび１３Ｅの端部を係止し、雌螺子穴４６に螺合して雄螺子４７の先端側から雌螺子４９で螺止したものであり、雄螺子４７の頭部４８と掻き落し体３の距離を雄螺子４７で調節することによって、板体本体４と柄体２の開き角度αを調整することができる。
【００７５】
あるいは、長さ調節手段Ｌの別の実施形態としては、保持手段１３Ｃ、１３Ｄおよび１３Ｅのワイヤーを分断した中間に図１３に示すようにターンバックルＴ１を配置して、保持手段１３Ｃ、１３Ｄおよび１３Ｅに長さを調節可能としている。ターンバックルＴ１は、両側に螺子穴Ｔ２、Ｔ３を備えた略中空筒状の本体Ｔ４と、螺子穴Ｔ２に螺合可能な雄螺子部Ｔ５を備えた第１のフックＴ６と、螺子穴Ｔ３に螺合可能な雄螺子部Ｔ７を備えた第２のフックＴ８とを備えた、第１のフックＴ６と第２のフックＴ８にそれぞれ、保持手段１３Ｃ、１３Ｄおよび１３Ｅの分断されたワイヤーの一端と他端が連結されている。そのため、本体Ｔ４に対する第１のフックＴ６と第２のフックＴ８の進退により、ターンバックルＴ１が伸び縮みするので、保持手段１３Ｃ、１３Ｄおよび１３Ｅの長さを調節することによって、板体本体４と柄体２の開き角度αを調節することができる。
【００７６】
また、実施例２、３において、図１４と図１５に示すように板体本体４の中央に設けられた回動機構６の第２の継手８のコの字型金具の中央部に懸かる先端側に板体本体４に雌螺子穴５０Ａを螺設し、この雌螺子穴５０Ａにボルト５０Ｂを螺合してナット５１で螺止するようにして、ボルト５０Ｂの上下によって第１の継手７の先端部５２がボルト５０の頭部に当たる位置が調節できて、板体本体４と柄体２の開き角度αを調節可能とすることができる。
【００７７】
したがって、新雪のような軽い雪においては、板体本体４と柄体２の開き角度αが直角に近くても比較的楽な作業で行えるが、密度が増えて重くなった雪や、凍結により固まった雪の場合には板体本体４と柄体２の開き角度αを狭くして、雪へのすくい角度を調節し、雪質に応じて削る量を加減することで、作業の負担が調節できる。
【符号の説明】
【００７８】
１  雪落とし具
２  柄体
３  掻き落し体
６  回動機構
１０  開放端
１１  刃体
１２  接続部
１３Ａ、Ｂ、Ｃ、Ｄ、Ｅ  保持手段
１４  付勢手段
１５  折り曲げ部
１６  握り部
１７  連結部
１８  先端側管材部（一側管材部）
１９  外管
２０  内管
２１  基端側管材部（他側管材部）
２２  外側取付穴
２３  内側取付穴
２４  雄螺子部材
２５  雌螺子部材
２６  スペーサー部材
２７  角柱部（嵌合部）
２８  固定ハンドル
２９  可動ハンドル
３０  折り曲げ部
３２  付勢手段
３６  刃体
３８  スリット部
３９  テーパ部
４４  折り曲げ部
４６  雌螺子穴
４７  雄螺子
４８  頭部
５０Ａ  雌螺子穴
５０Ｂ  ボルト（雄螺子）
５１  ナット
Ｌ  長さ調節手段
Ｔ１  ターンバックル
【図１】
0003217024.tif 000003
【図２】
0003217024.tif 000004
【図３】
0003217024.tif 000005
【図４】
0003217024.tif 000006
【図５】
0003217024.tif 000007
【図６】
0003217024.tif 000008
【図７】
0003217024.tif 000009
【図８】
0003217024.tif 000010
【図９】
0003217024.tif 000011
【図１０】
0003217024.tif 000012
【図１１】
0003217024.tif 000013
【図１２】
0003217024.tif 000014
【図１３】
0003217024.tif 000015
【図１４】
0003217024.tif 000016
【図１５】
0003217024.tif 000017
【手続補正書】
【提出日】平成30年5月16日(2018.5.16)
【手続補正１】
【補正対象書類名】実用新案登録請求の範囲
【補正対象項目名】全文
【補正方法】変更
【補正の内容】
【実用新案登録請求の範囲】
【請求項１】
長尺状の柄体と、
前記柄体の先端に備えた掻き落し体と、
前記掻き落し体を前記柄体に対して揺動自在にする回動機構と、を備え、
前記回動機構は、前記掻き落し体の開放端を前記柄体に対して近接させた閉状態と、前記掻き落し体を前記柄体に対して垂直に立てた開状態との間で揺動自在とすることを特徴とする雪落とし具。
【請求項２】
前記掻き落し体を前記開状態で保持する保持手段を備え、
前記保持手段は、前記掻き落し体の周縁から、前記柄体の先端より基端側へと配置された接続部へと張設された複数の紐状の可撓体からなることを特徴とする請求項１記載の雪落とし具。
【請求項３】
前記閉状態から前記開状態へと前記掻き落し体を付勢する付勢手段を備えたことを特徴とする請求項１記載の雪落とし具。
【請求項４】
前記付勢手段を前記掻き落し体の開放端の中央部分から前記柄体の先端より基端側へと配置された接続部へと連結されたバネ体としたことを特徴とする請求項３記載の雪落とし具。
【請求項５】
前記掻き落し体の外面及び／又は前記開放端に樹脂部材を備えたことを特徴とする請求項１記載の雪落とし具。
【請求項６】
前記開放端を前記柄体から離れる方向に折り曲げたことを特徴とする請求項１記載の雪落とし具。
【請求項７】
前記開放端に樹脂製の刃体を備え、
前記刃体は、先端部にテーパ部を備えると共に、前記先端部に所定の間隔を有して形成された複数のスリット部を備えたことを特徴とする請求項１記載の雪落とし具。
【請求項８】
前記開放端を前記柄体側に折り曲げたことを特徴とする請求項１記載の雪落とし具。
【請求項９】
前記開放端側を婉曲状に突設したことを特徴とする請求項１記載の雪落とし具。
【請求項１０】
前記柄体の先端を下方へ湾曲した折り曲げ部を備えたことを特徴とする請求項１記載の雪落とし具。
【請求項１１】
前記柄体を長手方向に分割する連結部を備え、
前記連結部は、断面非円形状の一側管材部と、
前記一側管材部と同一形状の断面非円形状の外管と、前記外管の先端に備え、前記一側管材部に挿通可能かつ前記一側管材部の内部で回動不能な断面非円形状の内管とからなる他側管材部とし、
前記一側管材部に備えた外側取付穴と、
前記内管を前記一側管材部に挿通して、前記外管が前記一側管材部に当接した状態で
前記外側取付穴に対応して前記内管に備えた非円形状の内側取付穴と、
前記外側取付穴と前記内側取付穴に連続して挿通可能な雄螺子部材と、
前記雄螺子部材に螺合する雌螺子部材とを備え、
前記雄螺子部材には、前記内側取付穴に嵌合可能な嵌合部を備え、
前記外側取付穴には、前記雄螺子部材が挿通可能、前記内側取付穴から抜け落ちない形状のスペーサー部材を備えたことを特徴とする請求項１記載の雪落とし具。
【請求項１２】
前記柄体の基端に握り部を備え、
前記握り部は、前記柄体の基端に固定された固定側握り体と、前記固定側握り部より前記柄体の先端側に配置され、前記柄体の長手方向にスライド可能に備えた柔軟性を有する筒状の可動側握り部とを備えたことを特徴とする請求項１記載の雪落とし具。
【請求項１３】
前記掻き落し体を前記開状態で保持する保持手段と、
前記保持手段の長さを調節する長さ調節手段を備え、
前記長さ調節手段は、前記掻き落し体の前記保持手段を取り付ける箇所に設けた雌螺子穴と、
前記保持手段を係止した頭部を有し、前記雌螺子穴に螺合可能な雄螺子とを備えたことを特徴とする請求項１記載の雪落とし具。
【請求項１４】
前記掻き落し体を前記開状態で保持する保持手段と、
前記保持手段の長さを調節する長さ調節手段を備え、
前記長さ調節手段は、前記保持手段を分断した中間に配置されたターンバックルとすることを特徴とする請求項１記載の雪落とし具。
【請求項１５】
前記掻き落し体に雌螺子穴を螺設し、この雌螺子穴に雄螺子を螺合してナットで固定し、前記雄螺子の上下によって前記柄体の先端部が前記雄螺子に当たる位置を調節可能に備えたことを特徴とする請求項１記載の雪落とし具。